(57)【要約】      （修正有）【課題】耳朶への装着痛を緩和しつつ、脱落しにくい耳装着具を提供する。【解決手段】耳装着具１０は、耳朶６２の付け根６２ｂに当接力を付与するための耳装着具であって、耳６０の後面で翳風６４の窪みに当接する翳風当接部１６と、耳朶６２の顔側の付け根６２ｂに係合する耳朶係合部２０と、耳６０の前面に当接する前面当接部２４と、耳６０の後面で、翳風当接部１６と耳朶係合部２０とを繋ぐ第１接続部１８と、耳６０の前面で、耳朶係合部２０と前面当接部２４とを繋ぐ第２接続部２２とを備える。【選択図】図１
0003224665.tif 000002
【実用新案登録請求の範囲】
【請求項１】
耳朶の付け根に当接力を付与するための耳装着具であって、
耳の後面で翳風の窪みに当接する翳風当接部と、
前記耳朶の顔側の付け根に係合する耳朶係合部と、
前記耳の前面に当接する前面当接部と、
前記耳の後面で、前記翳風当接部と前記耳朶係合部とを繋ぐ第１接続部と、
前記耳の前面で、前記耳朶係合部と前記前面当接部とを繋ぐ第２接続部と、
を備えることを特徴とする耳装着具。
【請求項２】
装着状態において、前記翳風当接部の当接領域の中心が前記前面当接部の当接領域の中心から上方にオフセットしていることを特徴とする請求項１に記載の耳装着具。
【請求項３】
装着状態において、前記翳風当接部の当接領域の中心が前記前面当接部の当接領域の中心から顔寄りにオフセットしていることを特徴とする請求項１または２に記載の耳装着具。
【請求項４】
前記第１接続部と、前記耳朶係合部と、前記第２接続部と、はスプリング性を有する線状の部材で一体に形成されており、
前記第２接続部は、最上部にピーク形状部を含む折返し部を有し、前記ピーク形状部の前記耳朶係合部に延びる部分に耳裏当接部が設けられることを特徴とする請求項１から３のいずれかに記載の耳装着具。
【請求項５】
前記第１接続部と、前記耳朶係合部と、前記第２接続部と、はスプリング性を有する線状の部材で一体に形成されており、
前記第２接続部は、最上部にループ形状部を含む折返し部を有し、前記ループ形状部の前記翳風当接部に延びる部分に耳裏当接部が設けられることを特徴とする請求項１から３のいずれかに記載の耳装着具。
【請求項６】
前記第１接続部と、前記耳朶係合部と、前記第２接続部と、はスプリング性を有する線状の部材で一体に形成されており、
前記第２接続部は、最上部にブロード形状部を含む折返し部を有し、前記ブロード形状部の前記翳風当接部に延びる部分に耳裏当接部が設けられることを特徴とする請求項１から３のいずれかに記載の耳装着具。
【請求項７】
前記翳風当接部は、第１外径の球体形状を有し、
前記前面当接部は、前記第１外径より小さな外径の球体形状、または前記第１外径より小さな長径の楕円を当該楕円の長軸周りに回転させて得られる回転楕円体形状を有することを特徴とする請求項１から６のいずれかに記載の耳装着具。
【考案の詳細な説明】
【技術分野】
【０００１】
本考案は、人の耳に装着するための耳装着具に関する。
【背景技術】
【０００２】
特許文献１には、リング状の振動体を耳介道の入口付近の耳甲介腔部に挿入し振動させることにより耳介の内側にあるツボを刺激する健康器具が記載されている。特許文献１の健康器具では、リング状の振動体が圧電または電磁方式で励振され、音響振動を発生し、振動体の外周部に設けた突起によってツボを集中的に刺激するように構成されている。
【０００３】
特許文献２には、耳介を挟持する一対のイヤリング部材を備えたイヤリングが記載されている。このイヤリングでは、一対のイヤリング部材の一端同士をハトメ部材で回動自在に軸着し、その一対の部材の対向摺接面の位置に、両イヤリング部材の回動抵抗を確保するためのＯリングを介装させている。耳介を挟持する対向挟持面が、ハトメ部材を設けた位置の反対側の端部付近に形成されており、イヤリング部材の一方又は双方に装飾体取り付け部を備えている。
【先行技術文献】
【特許文献】
【０００４】
【特許文献１】特開２００８−１２０９３号公報
【特許文献２】特開２０１７−２０９３０１号公報
【考案の概要】
【考案が解決しようとする課題】
【０００５】
考案者は、人の耳に装着される装着具について研究し、耳朶の付け根に当接力を付与することにより、頬や目尻が持ち上げられ、多くの場合に顔つきが改善されるとの知見を得た。しかしながら、特許文献１に記載の健康器具および特許文献２に記載の耳朶装着具は、耳朶に作用を与える構成を有していない。
【０００６】
また、特許文献２に記載の耳朶装着具は、２箇所の皮膚への接触点により耳朶を挟持して係止される。このため、この装着具では、比較的強い圧接力又は付勢力が必要となり、耳朶装着具の装着後においてもこれらの圧接力又は付勢力により耳朶に痛みが生じ易い。また、この耳朶装着具は、いずれも点状に耳朶に接触して耳朶を挟持しているため、耳朶装着具装着後に脱落しやすい等の問題も生じていた。
【０００７】
本考案の目的は、このような課題に鑑みてなされたもので、耳朶への装着痛を緩和しつつ、脱落しにくい耳装着具を提供することにある。
【課題を解決するための手段】
【０００８】
上記課題を解決するために、本考案のある態様の耳装着具は、耳朶の付け根に当接力を付与するための耳装着具であって、耳の後面で翳風の窪みに当接する翳風当接部と、耳朶の顔側の付け根に係合する耳朶係合部と、耳の前面に当接する前面当接部と、耳の前面で、翳風当接部と耳朶係合部とを繋ぐ第１接続部と、耳の後面で、耳朶係合部と前面当接部とを繋ぐ第２接続部と、を備える。
【０００９】
なお、以上の構成要素の任意の組み合わせや本考案の構成要素や表現を、方法、装置、システムなどの間で相互に置換したものもまた、本考案の態様として有効である。
【考案の効果】
【００１０】
本考案によれば、耳朶への装着痛を緩和しつつ、脱落しにくい耳装着具を提供することができる。
【図面の簡単な説明】
【００１１】
【図１】実施の形態に係る耳装着具を耳に装着した状態を示す装着図である。
【図２】図１の耳装着具を耳に装着した状態を示す別の装着図である。
【図３】図１の耳装着具を耳に装着した状態を示すさらに別の装着図である。
【図４】図１の耳装着具の側面図である。
【図５】第１変形例に係る耳装着具を示す側面図である。
【図６】第２変形例に係る耳装着具を示す側面図である。
【図７】第３変形例に係る耳装着具を示す側面図である。
【図８】図１の耳装着具を耳に装着した状態の顔つきの変化の一例を示す模式図である。
【考案を実施するための形態】
【００１２】
はじめに実施形態に係る耳装着具の概要について説明する。イヤーアクセサリーは、多くの女性のみならず、最近では男性においてもファッションアイテムとして、重要なポストを占めるものになってきた。ピアスはファッション性として優れているが、耳に穴をあけるという肉体的な損傷と苦痛を伴い、さらに外していると穴が閉じてしまうという欠点があり、この使用を避ける人も多い。
【００１３】
それでも、多くの人が、イヤリングというアイテムを使いファッションを楽しんでいるが、今までイヤリングが、留め金を耳朶を挟み込むのに、耳朶の全面裏側の一箇所づつに圧力がかかる。このため、イヤリングを外れにくくするには圧力を高くしており、長時間の装着において痛みが起こりやすい。また、痛みが起こりにくくするために圧力を低くすると外れやすいという欠点があった。
【００１４】
これに対して、実施形態では、ワイヤと球体および球体と球体との二箇所で耳を挟み込みすることができる。さらに、実施形態は、ワイヤおよび球体と皮膚の接触面積を多くするとともに、二箇所を挟み込むことによって、耳朶が屈曲して摩擦抵抗が大きくなるため、強い圧力を必要とせずにイヤリングの長時間の装着を可能にし、また外れにくい特徴がある。
【００１５】
それだけではなく、実施形態は、翳風（えいふう）とうツボに刺激をあてている。世の中には、耳ひっぱり健康法とか、耳朶回し健康法とか、耳つぼジュエリーなど、耳朶に関する健康法が数多くあり、あらゆる効果が期待できる。本考案者の研究によると、翳風とうツボは顔のむくみやくすみの解消、まためまいや耳鳴り、首の筋肉痛を和らげる効果が示唆されている。実施形態は、このツボを圧迫して、むくみや首の筋肉痛を和らげ美顔小顔といった美容面も持ち合わせており、その形状は独自のものであります。
【００１６】
また、本考案者は、装着具を装着することによって顔つきを改善する観点から、多くの実証実験を重ね、耳朶の顔側の付け根に頭頂側に向かう当接力を付与することにより顔つきを改善し得ることを見出した。具体的には、耳朶の付け根に上向の力を付与し続けることにより、例えば１０分から２０分程度で、頬の位置や目尻の位置が徐々に上昇し、顔の輪郭がシャープに見えるようになることを見出した。このような変化は多くの人にとって顔つきの改善につながる。
【００１７】
この効果は、耳朶の付け根に当接力が付与されたことにより耳朶の周辺の皮膚や神経が刺激され、外側翼突筋など一部の筋肉が収縮することによって生じているものと考えられる。また、耳朶周辺には、いわゆるツボと称される経穴が散在しており、その経穴が刺激されることにより効果を生じている可能性も考えられる。以下の説明において、本考案の例示的な構成を実施形態を例に示す。
【００１８】
以下、本考案を好適な実施形態をもとに各図面を参照しながら説明する。実施形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１９】
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００２０】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。また、装着時の頭の前後を「前」、「後」、「前後方向」といい、頭の左右を「左」、「右」、「左右方向」という。
【００２１】
［実施の形態］
以下、図１〜図４を参照して、本考案に係る実施の形態の構成について説明する。図１は、実施の形態に係る耳装着具１０を耳６０に装着した状態を示す正面視の装着図である。図２は、耳装着具１０を耳６０に装着した状態を示す背面視の装着図である。図３は、耳装着具１０を耳６０に装着した状態を示す側面視の装着図である。この図では、耳朶６２の翳風当接部１６と前面当接部２４とで挟まれる部分の外形を一点鎖線で示している。図４は、耳装着具１０の側面図である。
【００２２】
本実施形態の耳装着具１０は、耳朶６２の付け根６２ｂに当接力を付与するための耳装着具である。耳装着具１０は、顔つきを改善するために顔から張出す耳６０に装着される。耳装着具１０は、翳風当接部１６と、耳朶係合部２０と、前面当接部２４と、第１接続部１８と、第２接続部２２とを主に含む。
【００２３】
翳風当接部１６は、耳６０の後面で翳風６４の窪みに当接する。耳朶係合部２０は、耳朶６２の顔側の付け根６２ｂに係合する。前面当接部２４は、耳６０の前面に当接する。第１接続部１８は、耳６０の後面で、翳風当接部１６と耳朶係合部２０とを繋ぐ。第２接続部２２は、耳６０の前面で、耳朶係合部２０と前面当接部２４とを繋ぐ。
【００２４】
耳装着具１０は、耳朶６２を前面と後面の双方から圧接力を加えて挟持する非ピアス式耳朶装着具として機能する。耳装着具１０は、耳６０の主に耳朶６２に装着される。本明細書において、耳朶６２に対して「〇〇する」というときは、耳朶６２およびその周辺にわたる領域に対して「〇〇する」ことを含む。
【００２５】
（翳風当接部）
上述したように、翳風当接部１６は、耳の後面で翳風６４の窪みに当接するための部分である。なお、翳風６４は、耳朶６２の後面で乳様突起と下顎枝（かがくし）の間の窪み（陥凹部）である。翳風当接部１６の形状は、翳風６４の窪みに当接可能なものであれば特に限定されない。翳風当接部１６は、様々な形状であってもよい。本実施形態の翳風当接部１６は、翳風当接部１６につながる部分より膨らんだ膨らみ部１６ｇを有する。膨らみ部１６ｇは翳風６４に当接する部分が凸曲面を有していればよく、図２の膨らみ部１６ｇは球形状を有する。
【００２６】
上述したように、耳装着具が自重で簡単に外れると、日常活動中に簡単に外れるので、ユーザは、外れないように注意していなければならず煩わしい。外れにくくするために、上下から耳介を強く押さえることが考えられるが、この場合、耳に圧迫感を与えるおそれがある。そこで、本実施形態の翳風当接部１６は、翳風６４に掛着する形状を有する。つまり、翳風当接部１６は、翳風６４の窪みに入り込んで、引っ掛かるように取り付けできる。この構成により、耳装着具１０は、日常活動中に外れる可能性を低くできる。
【００２７】
膨らみ部１６ｇが小さすぎると翳風６４に当接する面積が減り外れやすくなる。膨らみ部１６ｇが大きすぎると翳風６４への進入深さが浅くなって外れやすくなる。これらの観点から、膨らみ部１６ｇの直径は、翳風６４の大きさの６０％以上で１２０％以下の範囲であれば、簡単に外れる可能性を実用的なレベルまで下げられる。
【００２８】
本実施形態の翳風当接部１６は、樹脂材料で形成されている。翳風当接部１６は、樹脂材料に代えて、金属材料や自然由来の材料（石、木、動物の歯や骨など）などで形成できる。
【００２９】
（耳朶係合部）
上述したように、耳朶係合部２０は、耳朶６２の付け根６２ｂに係合するための部分である。耳朶係合部２０の形状は、付け根６２ｂに係合可能なものであれば特に限定されない。耳朶係合部２０は、様々な形状であってもよく、例えば、付け根６２ｂに掛かるカギ型の形状を有してもよい。本実施形態の耳朶係合部２０は、曲折された線状の部材で金属材料で形成されている。図１の例では、耳朶係合部２０は、上向きに開いたＵ字形状またはＶ字形状の底であって、付け根６２ｂに当接する底部２０ｆを有する。耳朶係合部２０は、金属材料の他に樹脂材料や自然由来の材料で形成されてもよい。
【００３０】
耳朶係合部２０の一端は、第１接続部１８の下端に接続され、他端は第２接続部２２の下端に接続される。耳朶係合部２０は、汎用エンジニアリングプラスチックなどの樹脂で形成できる。この場合、表面に金属光沢など所望の光沢が与えられてもよい。
【００３１】
（前面当接部）
上述したように、前面当接部２４は、耳６０の前面に当接するための部分である。本実施形態の前面当接部２４は、耳朶６２の前面に当接する。前面当接部２４の形状は、耳６０の前面に当接可能なものであれば特に限定されない。前面当接部２４は、様々な形状であってもよい。
【００３２】
前面当接部２４の先端側が、耳や顔に当たると痛感を与える懸念がある。そこで、本実施形態では、前面当接部２４の当接面に、耳との接触圧を緩和する接触圧緩和部２４ｇが設けられている。接触圧緩和部２４ｇの形状に限定はないが、本実施形態の前面当接部２４は球体であり、接触圧緩和部２４ｇは球体の凸曲面である。接触圧緩和部２４ｇを有することにより、痛感が緩和され長時間の着用が容易になる。
【００３３】
本実施形態の前面当接部２４は、樹脂材料で形成されており、接着などの接続手段により第２接続部２２の先端に接続されている。前面当接部２４は、樹脂材料に代えて、金属材料や自然由来の材料（石、木、動物の歯や骨など）などで形成できる。
【００３４】
本実施形態では、図１、図３に示すように、装着状態において、翳風当接部１６の当接領域の中心１６ｃが前面当接部２４の当接領域の中心２４ｃから上方にオフセットしている。この結果、翳風当接部１６および前面当接部２４は耳朶６２を上下に捻る。耳朶６２を捻るように装着することによって、耳朶６２と翳風当接部１６および前面当接部２４の接触面積を増やし、接触荷重を分散して痛みを抑制するとともに、摩擦抵抗を大きくして脱落しにくくできる。
【００３５】
本実施形態では、図１に示すように、翳風当接部１６の当接領域の中心１６ｃが前面当接部２４の当接領域の中心２４ｃから顔寄りにオフセットしている。この結果、翳風当接部１６および前面当接部２４は耳朶６２を前後に捻る。このことにより、耳朶６２と翳風当接部１６および前面当接部２４の接触面積をさらに増やし、痛みを一層抑制するとともに、一層脱落しにくくできる。
【００３６】
（接続部）
第１接続部１８は、図４に示すように、途中に折返し部１８ｋと耳裏当接部１８ｍを有し、翳風当接部１６と耳朶係合部２０とを繋ぐ部分である。第１接続部１８は、翳風当接部１６から下方に曲線状に延びて最下部に至り、最下部から上方に曲線状に延びて折返し部１８ｋ（最上部）に至り、折返し部１８ｋから下方に曲線状に延びて耳朶係合部２０につながる。つまり、第１接続部１８は、折返し部１８ｋで屈曲して折り返す形状を有する。図４の例では、折返し部１８ｋは最上部にピーク形状部１８ｐを有する。
【００３７】
本明細書において、折返し部１８ｋは、下方から延びて最上部に至り、最上部から下方に延びる連続部分である。また、ピーク形状部１８ｐは、折返し部１８ｋにおいて最上部から前後に向かって下方に延びる切りたった山形を呈する部分である。ピーク形状部１８ｐは、鋸歯状を呈してもよい。
【００３８】
耳裏当接部１８ｍは、図３に示すように、耳朶係合部２０から耳朶６２の後面に沿って当接する部分である。図３の例では、耳裏当接部１８ｍは、耳朶係合部２０から最上部に延びる部分に設けられている。耳裏当接部１８ｍは、前面当接部２４との間に耳朶６２を挟むように構成されている。このように、ワイヤで構成される耳裏当接部１８ｍと、球体で構成される前面当接部２４とで耳朶６２を挟み込みすることによって、これらと耳６０の皮膚との接触面積を大きくすることができる。この結果、耳朶６２が屈曲して摩擦抵抗が大きくなり、強い圧力で挟まなくても外れにくく、長時間の装着を可能にできる。
【００３９】
第２接続部２２は、耳朶係合部２０と前面当接部２４とを繋ぐために斜め上に延びる部分である。本実施形態の第１、第２接続部１８、２２は、所定形状に曲折された線状の部材（例えば、ワイヤ状の部材）で金属材料で形成されている。
【００４０】
耳形状の個人差に対応するために、耳装着具１０はスプリング性を有することが望ましい。そこで、本実施形態では、第１接続部１８と、耳朶係合部２０と、第２接続部２２とはスプリング性を有する線状の部材で一体に形成されている。それぞれの部分が柔軟性を備えるので、耳形状の個人差に対応できる。また、容易に装着可能な耳装着具１０を提供できる。
【００４１】
第１、第２接続部１８、２２が伸縮性や可撓性を全く有しない場合、長時間使用したときに耳６０が痛くなる可能性がある。このため、第１、第２接続部１８、２２は、伸縮性または可撓性を有する柔軟な素材で形成してもよい。一例として、第１、第２接続部１８、２２は、サージカルステンレスの一種であるＳＵＳ３１６Ｌで形成できる。
【００４２】
第１接続部１８の第１変形例を説明する。図５は、第１変形例の耳装着具１０の側面図である。本変形例は、第１接続部１８の形状が異なる点で実施の形態と相違する。本変形例の第１接続部１８では、折返し部１８ｋは、最上部にピーク形状部１８ｐの代わりにループ形状部１８ｒを有する。本明細書において、ループ形状部１８ｒは、翳風当接部１６から最上部に延びる部分と、耳朶係合部２０から最上部に延びる部分とが交差し、折返し部１８ｋにおいてループ形状を呈する部分である。ループ形状は縦長の楕円形状であってもよい。
【００４３】
第１変形例では、図５に示すように、耳裏当接部１８ｍは、翳風当接部１６から最上部に延びる部分に設けられている。
【００４４】
図６は、第２変形例の耳装着具１０の側面図である。本変形例は、第１接続部１８の形状が異なる点で実施の形態と相違する。図６の例では、折返し部１８ｋは最上部にピーク形状部１８ｐの代わりにブロード形状部１８ｂを有する。本明細書において、ブロード形状部１８ｂは、折返し部１８ｋにおいて最上部から前後に向かって下方に広く延びる低山状を呈する部分である。
【００４５】
第２変形例では、図６に示すように、耳裏当接部１８ｍは、耳朶係合部２０から最上部に延びる部分に設けられている。
【００４６】
第３変形例を説明する。実施の形態では、前面当接部２４が翳風当接部１６と略同じ大きさである例を示したが、本考案はこれに限定されない。前面当接部２４の形状は任意に変更しうる。前面当接部２４は、翳風当接部１６の球体の外径より小さな外径の球体形状を有してもよい。また、前面当接部２４は、翳風当接部１６の球体の外径より小さな長径の楕円を当該楕円の長軸周りに回転させて得られる回転楕円体形状を有してもよい。
【００４７】
図７は、第３変形例の耳装着具１０の側面図である。本変形例は、前面当接部２４の形状が異なる点で実施の形態と相違する。実施の形態の前面当接部２４が翳風当接部１６と略同じ大きさであるのに対して、本変形例の前面当接部２４は、翳風当接部１６より小さく形成されている。
【００４８】
第１〜第３変形例の耳装着具１０は、実施の形態の耳装着具１０と同様の作用および効果を奏する。
【００４９】
次に、このように構成された本実施形態の耳装着具１０の使用結果を説明する。図８は、耳装着具１０を耳朶６２に装着した状態の一例を示す模式図である。この図では、比較のため左耳に耳装着具１０を装着し、右耳には何も装着していない状態を示している。この図では、耳装着具１０を装着してから２０分経過後の時点の顔つきを示している。図８の符号Ｄ、Ｅ、Ｆに示すように、左耳に耳装着具１０を装着したことにより、左目尻７６ｂが右目尻７６ｃより上方に位置し、左頬７６ｄが右頬７６ｅより上方に位置し、左口角７６ｆが右口角７６ｇより上方に位置している。両耳それぞれに耳装着具１０を装着した場合には、両方の目尻、頬、口角が上昇する効果を生じた。このような効果は、耳装着具１０を装着している間は連続して保持され、耳装着具１０を耳から外すことにより徐々に消えて装着前の状態に戻った。
【００５０】
次に、本実施形態の耳装着具１０の特徴を説明する。本実施形態の耳装着具１０は、耳朶６２の付け根６２ｂに当接力を付与するための耳装着具であって、耳６０の後面で翳風６４の窪みに当接する翳風当接部１６と、耳朶６２の顔側の付け根６２ｂに係合する耳朶係合部２０と、耳６０の前面に当接する前面当接部２４と、耳６０の前面で、翳風当接部１６と耳朶係合部２０とを繋ぐ第１接続部１８と、耳６０の後面で、耳朶係合部２０と前面当接部２４とを繋ぐ第２接続部２２と、を備える。
【００５１】
実施の形態では、装着状態において、翳風当接部１６の当接領域の中心１６ｃが前面当接部２４の当接領域の中心２４ｃから上方にオフセットしている。この場合、翳風当接部１６および前面当接部２４は耳朶６２を上下に捻る。耳朶６２を捻るように装着することによって、耳朶６２と翳風当接部１６および前面当接部２４の接触面積を増やし、接触荷重を分散して痛みを抑制するとともに、摩擦抵抗を大きくして脱落しにくくできる。
【００５２】
実施の形態では、装着状態において、翳風当接部１６の当接領域の中心１６ｃが前面当接部２４の当接領域の中心２４ｃから顔寄りにオフセットしている。この場合、耳朶６２と翳風当接部１６および前面当接部２４の接触面積をさらに増やし、痛みを一層抑制するとともに、一層脱落しにくくできる。
【００５３】
実施の形態では、第１接続部１８と、耳朶係合部２０と、第２接続部２２と、はスプリング性を有する線状の部材で一体に形成されており、第２接続部２２は、最上部にピーク形状部１８ｐを含む折返し部１８ｋを有し、ピーク形状部１８ｐの耳朶係合部２０に延びる部分に耳裏当接部１８ｍが設けられる。この場合、それぞれの部分が柔軟性を備えるので、耳形状の個人差に対応でき、容易に装着できる。また、耳裏当接部１８ｍを有するので、耳裏当接部１８ｍと前面当接部２４とで耳朶６２を挟み込み、これらの接触面積を大きくできる。ピーク形状部１８ｐの一方の辺に耳裏当接部１８ｍを設けるので、耳裏との接触面積を容易に増やせる。前面当接部２４と耳朶係合部２０および前面当接部２４と耳裏当接部１８ｍの二箇所で耳朶６２を挟み込むことによって、耳朶６２が屈曲して摩擦抵抗が大きくなる。このため、圧力を下げても外れにくく、装着痛も緩和できる。
【００５４】
上述の第２接続部２２において、最上部にループ形状部１８ｒを含む折返し部１８ｋを有し、ループ形状部１８ｒの翳風当接部１６に延びる部分に耳裏当接部１８ｍが設けられてもよい。この場合、ループ形状部１８ｒの一方の辺に耳裏当接部１８ｍを設けるので、耳裏当接部１８ｍが耳裏に向かって凸曲面となり、その部分で摩擦抵抗を大きくできる。
【００５５】
上述の第２接続部２２において、最上部にブロード形状部１８ｂを含む折返し部１８ｋを有し、ブロード形状部１８ｂの翳風当接部１６に延びる部分に耳裏当接部１８ｍが設けられてもよい。この場合、ブロード形状部１８ｂの一方の辺に耳裏当接部１８ｍを設けるので、耳朶６２が耳裏当接部１８ｍに沿って捻れ、その部分で摩擦抵抗を大きくできる。
【００５６】
上述の翳風当接部１６は、第１外径の球体形状を有し、前面当接部２４は、第１外径より小さな外径の球体形状、または第１外径より小さな長径の楕円を当該楕円の長軸周りに回転させて得られる回転楕円体形状を有してもよい。この場合、前側からみて前面当接部２４が目立たなくなり、デザイン上の自由度を高めることができる。
【００５７】
以上、本考案の実施形態をもとに説明した。これらの実施形態は例示であり、いろいろな変形および変更が本考案の実用新案登録請求の範囲内で可能なこと、またそうした変形例および変更も本考案の実用新案登録請求の範囲にあることは当業者に理解されるところである。従って、本明細書での記述および図面は限定的ではなく例証的に扱われるべきものである。
【００５８】
以下、変形例について説明する。変形例の図面および説明では、実施形態と同一または同等の構成要素、部材には、同一の符号を付する。実施形態と重複する説明を適宜省略し、実施形態と相違する構成について重点的に説明する。
【００５９】
［変形例］
実施の形態の説明では、翳風当接部１６が球状である例を示したが、本考案はこれに限定されない。例えば、翳風当接部１６は、半球であってもよい。
【００６０】
実施の形態の説明では、第１接続部１８と、耳朶係合部２０と、第２接続部２２とが一体に形成される例を示したが、本考案はこれに限定されない。例えば、これらは別々に形成されて連結されてもよい。
【００６１】
実施の形態の説明では、第１、第２接続部１８、２２がサージカルステンレスで形成される例を示したが、本考案はこれに限定されない。例えば、第１、第２接続部１８、２２は、表面に樹脂層を有してもよいし、表面に樹脂製のチューブを被せてもよい。
【００６２】
実施の形態の説明では、翳風当接部１６が膨らみ部１６ｇを有する例を示したが、本考案はこれに限定されない。例えば、翳風当接部１６は、曲折された線状の部材で金属材料で形成され、翳風６４の窪みに当接する曲折部を有してもよい。この曲折部は、一例として、斜め下向きに開いたΩ字形状を有し、Ω字形状の頭部が翳風６４に当接するように構成できる。この場合、翳風６４における金属アレルギーを抑制するため、翳風当接部１６の表面は金属アレルギーを生じ難い材料で形成されてもよい。このような金属として、チタン、サージカルステンレス、金、銀およびプラチナ等が挙げられる。翳風当接部１６の表面は、これらの中から選択される１以上の金属で形成されてもよい。
【００６３】
実施の形態の説明では、耳朶係合部２０がＵ字形状またはＶ字形状の底の部分である例を示したが、本考案はこれに限定されない。例えば、耳朶係合部２０は、フック形状などＵ字またはＶ字形状とは別の形状を有してもよい。
【００６４】
上述の各変形例は、実施の形態と同様の作用・効果を奏する。
【００６５】
上述した実施形態同士および実施形態と変形例の任意の組み合わせもまた本考案の実施形態として有用である。組み合わせによって生じる新たな実施形態は、組み合わされる実施形態および変形例それぞれの効果をあわせもつ。
【符号の説明】
【００６６】
１０  耳装着具、  １６  翳風当接部、  １６ｃ  当接領域の中心、  １６ｇ  膨らみ部、  １８  第１接続部、  １８ｂ  ブロード形状部、  １８ｋ  折返し部、  １８ｍ  耳裏当接部、  １８ｐ  ピーク形状部、  １８ｒ  ループ形状部、  ２０  耳朶係合部、  ２０ｆ  底部、  ２２  第２接続部、  ２４  前面当接部、  ２４ｃ  当接領域の中心、  ２４ｇ  接触圧緩和部、  ６０  耳、  ６２  耳朶、  ６２ｂ  付け根、  ６４  翳風。
【図１】
0003224665.tif 000003
【図２】
0003224665.tif 000004
【図３】
0003224665.tif 000005
【図４】
0003224665.tif 000006
【図５】
0003224665.tif 000007
【図６】
0003224665.tif 000008
【図７】
0003224665.tif 000009
【図８】
0003224665.tif 000010